(57)【要約】【課題】保管庫の脱臭効果が低下するのを防ぐ。【解決手段】保管庫Ａの上部に、外気を取り込んでオゾンを生成するオゾン発生手段１と冷却手段３とを載置し、その載置した冷却手段３からの冷気の吹き出し口９と、オゾン発生手段からのオゾンの吹き出し口１１とを庫内の天井に設ける。その際、その冷気の吹き出し口９の下流にオゾンの吹き出し口１１を配置して、冷気によってオゾンが庫内に均一に拡散できるようにする。こうすることで、外気から生成したオゾンを庫内に導入してオゾン発生器の電極に収容物の悪臭からの生成物が生成しないようにして、脱臭効果が低下しないようにする。【選択図】  図３
2004184040.tif 000002
【特許請求の範囲】
【請求項１】
ドアでもって入出庫できるようにした保管庫の上部に、外気を取り込んでオゾンを生成するオゾン発生手段と冷却手段とを載置し、その載置した冷却手段からの冷気の吹き出し口とオゾン発生手段からのオゾンの吹き出し口とを庫内の天井に設けてオゾンの導入量を調整できるようにするとともに、庫内の空気を入れ替える換気手段を設けて、庫内のオゾン濃度を庫内の収容物に応じて調整できるようにした低温保管庫。
【請求項２】
上記オゾン発生手段が回転式円筒型のオゾナイザであることを特徴とする請求項１に記載の低温保管庫。
【請求項３】
上記冷気の吹き出し口が冷気を天井と並行に吹き出すものとし、その冷気の吹き出し口の下流にオゾンの吹き出し口を設けたことを特徴とする請求項１または２に記載の低温保管庫。
【請求項４】
上記ドアの開閉でオン・オフするドアスイッチと庫内と庫外に設けた複数のスイッチとで、入庫時に停止したオゾン発生手段を庫内のスイッチとドアスイッチを出庫時に決められた順序で作動させることにより、オゾン発生手段の作動を再開できるようにしたことを特徴とする請求項１乃至３のいずれかに記載の低温保管庫。
【請求項５】
上記保管庫が組み立て式であることを特徴とする請求項１乃至４のいずれかに記載の低温保管庫。
【発明の詳細な説明】
【０００１】
【発明の属する利用分野】
この発明は、悪臭の発生源や細菌などの汚染源となる例えば、使用済の衣類や寝具などをクリーニングまで一時的に保管しておくための低温保管庫に関するものである。
【０００２】
【従来の技術】
老人ホームや病院などの公共施設では、収容者の大量の洗濯物を処理しなければならない。
【０００３】
そのため、洗濯物を一時的に集積するための保管場所を設ける必要があった。
【０００４】
ところが、このように集めてきた洗濯物を、そのまま保管場所に放置しておくと悪臭などを放ったり、不潔になる問題があった。
【０００５】
すなわち、上記の洗濯物は、例えば、オシメ、下着、寝巻、シーツなど臭気を発する衣類や寝具など雑多なものであるので、それらが複合して悪臭を放つからである。
【０００６】
この問題を解決する一つの方法として、集まった洗濯物を保管庫を設けて、その中に入れて脱臭すればよい。
【０００７】
このようなものとして、例えば、特許文献１に記載された脱臭装置を設けたロッカーがある。
【０００８】
このものは、図７に示すように、ロッカー内面に開口する吸引口８と吹き出し口９を設け、その吸引口８と吹き出し口９とを連通するダクトＤに、ファンＦとオゾン発生器Ｏと触媒及び加熱器Ｈとを設けたものである。そして、吸引口８からダクトＤ内に吸い込んだロッカー内の悪臭をオゾンにより酸化分解して無臭化し、吹き出し口９より再びロッカー内へ戻すことにより、ロッカー内の脱臭と殺菌を可能にしている。また、その際、使用したオゾンを加熱器Ｈで加熱処理することにより無害化を図っている。
【０００９】
【特許文献１】
特開平９−２３９０１５号公報
【００１０】
【発明が解決しようとする課題】
しかしながら、上記のロッカーでは、庫内の空気をオゾン発生器に循環させて臭気を分解しているので、オゾン発生器の電極には、収容物から発生する悪臭に含まれる窒素成分による硝酸化合物が生成して（付着して）、オゾンの発生が妨げられるため無臭化できなくなる問題がある。
【００１１】
また、収容物の量や種類に関係なくオゾン発生器が庫内で発生するオゾン量は単位時間当たり一定なので、収容量が不足であったり、過剰であったりすると、均一なオゾンの効果を期待できない。その結果、いちいち、収容量を調整しなければならないのは煩わしい。
【００１２】
また、不要なオゾンを（例えば、収納量が少なくて）無害化するためにだけ使用する加熱器を設けているのは、エネルギー消費の面からも、コストの面からも無駄であるという問題がある。
【００１３】
そこで、この発明の課題は、収納物の量や種類に関わらずオゾンによる均一な消臭及び殺菌効果を無駄なくできるようにすることである。
【００１４】
【課題を解決するための手段】
上記の課題を解決するため、この発明では、ドアでもって入出庫できるようにした保管庫の上部に、外気を取り込んでオゾンを生成するオゾン発生手段と冷却手段とを載置し、その載置した冷却手段からの冷気の吹き出し口とオゾン発生手段からのオゾンの吹き出し口とを庫内の天井に設けてオゾンの導入量を調整できるようにするとともに、庫内の空気を入れ替える換気手段を設けて、庫内のオゾン濃度を庫内の収容物に応じて調整できるようにした構成を採用したのである。
【００１５】
このような構成を採用することにより、冷却手段で庫内を冷却し、細菌などの増殖を防いで匂いの発生を抑える。
このとき、オゾン発生手段は、外気を使ってオゾンを発生させているので、庫内の悪臭による電極への硝酸化合物の付着はなく、大量のオゾンを連続して発生することができる。このとき庫内には、外気で作ったオゾンを庫内に導入するので、導入量を調節したり、生成量を印加電圧を変えて調節して庫内のオゾンの量を調整することができる。また、併せて、換気手段で庫内の空気を入れ替えることにより、庫内のオゾン濃度を調整すれば、収容物に応じて脱臭効果を最適にすることができる。
【００１６】
また、その際、上記オゾン発生手段が回転式円筒型のオゾナイザである構成を採用することにより、回転式円筒型のオゾナイザは、回転式電極の回転数あるいは印加電圧を変えることによりオゾンの発生量を調整することができるので、収容物の量や種類に合わせてオゾン濃度を調整することができる。
【００１７】
さらに、このとき、上記冷気の吹き出し口が冷気を天井と並行に吹き出すものとし、その冷気の吹き出し口の下流にオゾンの吹き出し口を設けた構成を採用することができる。
【００１８】
このような構成を採用することにより、オゾンの吹き出し口を、天井と並行に吹き出す冷気の吹き出し口の下流に設けたことにより、吹き出し口から吹き出されたオゾンを冷気に乗せて庫内に拡散させることができるので、均一に散布することができる。
【００１９】
また、このとき、上記ドアの開閉でオン・オフするドアスイッチと庫内と庫外に設けた複数のスイッチとで、入庫時に停止したオゾン発生手段を庫内のスイッチとドアスイッチを出庫時に決められた順序で作動させることにより、オゾン発生手段の作動を再開できるようにした構成を採用することができる。
【００２０】
このような構成を採用することにより、ドアスイッチと庫内と庫外に設けた複数のスイッチとで、オゾン発生手段を停止して入庫時に庫内のオゾンによる人体への影響を防止したのち、決められた順序でスイッチを作動させないと、オゾン発生手段を作動させることができないので、例えば、庫内のスイッチを退出路に沿って設けておけば、全てのスイッチを作動させて庫外へ出てからでないと、オゾン発生手段を作動することができず、安全を保てる。
【００２１】
また、このとき、上記保管庫が組み立て式であるという構成を採用することにより、適当なスペースさえあれば、低温保管庫をどこにでも設置できる。
【００２２】
【発明の実施の形態】
以下、この発明の実施の形態を図面に基づいて説明する。
図１にこの形態の低温保管庫Ａを示す。
この低温保管庫Ａは、オシメ、下着、寝巻、シーツなど臭気を発する衣類や寝具などを一時保管しておくためのもので、図１に示すように、入出庫用のドア２を備えており、庫内に人が立って作業ができる大きさのものである。この保管庫Ａは、上部にオゾン発生手段１と冷却手段３とを載置した構造となっている。
【００２３】
ドア２は、周囲にガスケットを設けて密封構造としたもので、ペアガラスによる覗き窓が設けられている。
【００２４】
また、この保管庫Ａは、ドア２の取り付けられた正面パネル、側面パネル、背面パネル、底面パネル及び上面パネルで構成されており、各パネルには周知のロータリーフックあるいは前記フックを係合するスリットのいずれかが設けられている。そのため、係合するパネル同士の端部を合わせて、ロータリーフックのフックを六角レンチなどで突出させ、スリットに係合させればワンタッチで組み立てられるので、スペースさえ許せば設置場所を選ばない。
【００２５】
このとき、背面パネルは二分割できるようになっており、分解して搬送が楽にできるようになっている。また、各パネルは、硬質発泡ポリウレタン層をサンドウイッチした断熱構造となっている。
【００２６】
冷却手段３は、コンプレッサとコンデンサ及び冷却器４とで構成される冷凍装置と、その冷凍装置の冷却器４を備えた図２に示すような冷気室５とで構成されている。
【００２７】
前記冷気室５は図２に示すように、庫内の天井に設けた開口６に連通している。この開口６には、図２のように、略Ｌ型の整流板７を取り付けて、冷却器４の吸引側と排出側とを分離して吸引口８と吹き出し口９とを形成するようになっており、冷却器４の排出側に設けた送風ファンによって吹き出し口９から天井に沿って冷気を吹き出すようになっている。
【００２８】
オゾン発生手段１は、この形態では、回転式円筒型のものを使用している。この回転式円筒型のオゾン発生手段１は、図３に示すように、円筒形の外部放電電極ＯＰの内部に円筒形の内部放電電極ＩＰを設けた二重構造で、内部放電電極ＩＰを回転させながら外部放電電極ＯＰと内部放電電極ＩＰ間に高電圧を印加して連続放電ができるようにしたものである。こうすることで、円筒の周面を利用して放電を点から線に、線から面へと広げることによる大きな電極面積と電極ＩＰを回転させたことによる硝酸化合物の付着防止作用とからオゾンの発生量を向上させたものである。さらに、このとき電極間へ印加する電圧及び電極ＩＰの回転数を調整することにより、オゾンの発生量もコントロールできるというものである。
【００２９】
そのため、ここでは、オゾン発生手段１の円筒電極間に外気を導入するようにするとともに、生成されたオゾンを図２に示すように、冷気室５の下流側に設けたオゾン発生室１０にパイプでもって導出し、導出したオゾンを天井に連通させた吹き出し口１１から庫内へ流入させるようにしてある。こうすることで、吹き出し口１１から庫内へ流入したオゾンは、吹き出し口９から吹き出した冷気によって庫内に拡散し、収容物に均一に散布することができる。
【００３０】
また、その際、オゾンの量の調整は、正面パネルの上方に設けたコントロールパネル１５で行うようにしてある。
【００３１】
この保管庫Ａには、側面パネルに換気手段１２として換気扇を設けてある。換気扇は、この形態の場合、シャッタ付のもので、シャッターを閉じれば庫内を密閉状態に保てるようになっており、正面パネルのドア２横に設けたスイッチボックスＢｏｘ４  によってオン・オフの他、タイマ制御もできるようになっている。
【００３２】
一方、この保管庫Ａの内部は、図４に示すように、表面にノンスリップ加工を施した樹脂製のスノコを敷いて、庫内に収容物を置いた際にも風通しが良くなるようにするとともに、搬入時に滑らないように安全対策も施してある。
【００３３】
また一方、この保管庫Ａには、図４に示すように、ドア２の開閉でオン・オフするドアスイッチＬＳと庫内と庫外に設けた複数のスイッチＢｏｘ１−３  とで構成した順序回路からなる安全回路が設けられている。
【００３４】
前記スイッチボックスＢｏｘ１  とＢｏｘ２  は、入出庫ドア２から離れた庫内正面の背面パネルの右と左に取り付けてある。一方、スイッチボックスＢｏｘ３  は、正面パネルの庫内側、すなわち、入出庫ドア２の開閉側の横に取り付けてある。また、スイッチボックスＢｏｘ４  は、正面パネルの庫外側、すなわち、入出庫ドア２の開閉側の横に取り付けてある。
【００３５】
各スイッチボックスＢｏｘ１−４  は、図５に示すように、例えば、自己復帰型のプッシュスイッチＰＢｂ１−４  、保持リレーＲＬ１−３，５  、表示ランプＰＬｒ、ＰＬｇ、緊急停止スイッチＰＢａ１−３  （Ｂｏｘ４  は除く）とで構成されており、これらのスイッチボックスＢｏｘ１−４  は直列に接続されている。
【００３６】
具体的には、各スイッチボックスＢｏｘ１−４  は、自己復帰型のプッシュスイッチＰＢｂ１−４  と保持リレーＲＬ１−３，５  とを直列に接続し、保持リレーＲＬ１−３，５  のａ接点を前記スイッチＰＢｂ１−４  と並列に接続して保持回路を形成している。また、保持リレーＲＬ１−３，５  と並列に赤色の表示ランプＰＬｒが接続してあり、前記ランプＰＬｒは保持リレーＲＬ１−３，５  が作動してスイッチボックスＢｏｘ１−４  が有効になったときに点灯するようにしてある。さらに、プッシュスイッチＰＢｂ１−４  と保持リレーＲＬ１−３，５  の直列回路と並列にグリーンの表示ランプＰＬｇを接続してある。通常、このグリーンの表示ランプＰＬｇは通電中に点灯し、保持リレーＲＬ１−３，５  が作動すると電位差が無くなって消灯するようになっている。
【００３７】
また、緊急停止スイッチＰＢａ１−３  は、プッシュスイッチＰＢｂ１−４  と直列に設けて、緊急時に回路をオープンにできるようにしてある。
【００３８】
このスイッチボックスＢｏｘ１−４  は、各ボックスＢｏｘ１−４  の保持リレーＲＬ１−３，５  の残りのａ接点を介して前段と現ボックスの緊急停止スイッチＰＢａ１−３  （Ｂｏｘ４  では、緊急停止スイッチＰＢａ１−３  の代わりに後述するドア出力リレーＲＬ６  のａ接点）とを接続するようになっており、前段のスイッチボックスＢｏｘ１−４  を介して電源ＶＤＤと接続されている。したがって、前段のスイッチボックスＢｏｘ１−４  が作動しないと、後段のスイッチボックスＢｏｘ１−４  が作動しないようになっており、こうすることで順序回路を形成している。
【００３９】
こうして接続された終段のスイッチボックスＢｏｘ４  には、保持リレーＲＬ５  と並列に接続した出力リレーＲＬ４  が設けてあり、前記リレーＲＬ４  のａ接点を電源ＶＤＤとオゾン発生手段１との間に設けて、順序回路出力でオゾン発生手段１をオン・オフする。
【００４０】
また、前記出力リレーＲＬ４  をオフするために、図５に示すように、ドア出力用のリレーＲＬ６  を設けて、ドアスイッチＬＳと直列に接続し、そのリレーＲＬ６  のａ接点をスイッチボックスＢｏｘ４  の緊急停止スイッチに代えて設けてある。
【００４１】
このとき、この形態では、ドアスイッチＬＳを入出庫用ドアに２個取り付け（ＬＳ１  、ＬＳ２  ）、その２個のスイッチＬＳ１  、ＬＳ２  を直列に接続することで、例えば、一方のドアスイッチＬＳ１  またはＬＳ２  が故障を起こし、閉じた状態になってもドア２を開けると他方のスイッチが開放してリレーＲＬ６  をオフにできるようにしてあり、安全性を高めてある。
【００４２】
したがって、入出庫ドア２を閉じた状態でドアスイッチＬＳがオンの場合は、リレーＲＬ６  が作動してスイッチボックスＢｏｘ４  が有効となり、出力リレーＲＬ４  を作動できるようになる。逆に、ドア２が開けられると、ドアスイッチＬＳがオフとなり、リレーＲＬ６  がオフとなって出力リレーＲＬ４  もオフとなるようになっている。
【００４３】
さらに、この回路には、リレーＲＬ７  を設けて、リレーＲＬ７  をドア用出力リレーＲＬ６  のｂ接点とスイッチボックスＢｏｘ４  の保持リレーＲＬ５  のａ接点と直列に接続し、その直列に接続したリレーＲＬ７  のｂ接点をスイッチボックスＢｏｘ１  と電源ＶＤＤ間に接続してリセット回路ＲＳを形成している。
【００４４】
このリセット回路ＲＳは、通常、リレーＲＬ７  はオンであり、リレーＲＬ７  のｂ接点が閉じて順序回路は電源ＶＤＤと接続されて通電されているが、例えば、スイッチボックスＢｏｘ４  （庫外）を作動させないで入出庫ドア２を開けると、保持リレーＲＬ５  のａ接点は「閉」、ドア用出力リレーＲＬ６  のｂ接点は「閉」となってリレーＲＬ７  はオフとなる。そのため、リレーＲＬ７  のｂ接点は「開」となって順序回路をリセットし、オゾン発生手段１はオフとなって庫内にオゾンが放出されないようにしてある。
【００４５】
また、この回路には、警報用のブザー回路Ｂが設けられている。警報用のブザー回路Ｂは、終段のスイッチボックスＢｏｘ４  の保持リレーＲＬ５  のｂ接点とドア出力用リレーＲＬ６  のａ接点と直列に接続され、この直列回路をスイッチボックスＢｏｘ３  の保持リレーＲＬ５  の出力に接続してある。
【００４６】
そのため、入出庫ドア２が閉められたときに、スイッチボックスＢｏｘ４  （庫外）を作動していないと、リレーＲＬ６  のａ接点は「閉」、保持リレーＲＬ５  のｂ接点は「閉」となり、ブザーＢｚが鳴って入出庫ドア２が閉じたことを報知できるようになっている。このとき、入出庫ドア２が閉じて警報が鳴っても外のスイッチボックスＢｏｘ４  を作動させない限り、オゾン発生手段１は作動しないので安全である。因みに、入出庫ドア２を開ければ警報は止まる。
【００４７】
この回路には、メインスイッチＭＳが設けられており、このスイッチＭＳを操作することで、回路全体を初期の設定に戻すことができるようになっている。
【００４８】
なお、図中ＡＶＲは、回路を安定に動作させるための定電圧電源である。
【００４９】
この形態は、上記のように構成されており、この保管庫Ａでは、冷却手段３で生成した冷気を吹き出し口９から吹き出し、庫内を循環させて一定に冷却し、細菌の増殖を防止して悪臭の発生を防ぐとともに、庫内の吹き出し口９の下流に設けた吹き出し口１１から吹き出すオゾンを冷気に乗せて庫内に拡散させており、拡散したオゾンを庫内の収容物に均一に散布して消臭と殺菌を行うことで、収容物からの悪臭の発生を防止しつつ保管する。
【００５０】
このとき、オゾン発生手段１は、取り入れた外気でオゾンを作って庫内へ導入しているので、オゾン発生手段１の電極には、収容物の悪臭成分による硝酸化合物は生成されない。その結果、生成した化合物によりオゾンの発生が妨げられないので、強力な脱臭力を持続することができる。
【００５１】
また、このとき、前記オゾンの庫内への導入量を調節したり、オゾン発生手段１への電極ＯＰ、ＩＰへの印加電圧及び回転数（この形態は回転式なので、電極ＩＰの回転数を調整でも可）を調整することにより、庫内のオゾン濃度を収容量に応じて変更して、最適な脱臭効果を得ることができる。
【００５２】
さらに、換気手段１２によって庫内の空気を定期的、かつ、強制的に入れ替えることにより、庫内をリフレッシュして新たに新鮮なオゾンを導入し、脱臭効果を向上させることもできる。
【００５３】
ところで、このように脱臭状態の庫内へ、収容物の搬入や搬出作業のために入る際には、オゾン濃度が高いと危険な場合もあるので、まず、スイッチボックスＢｏｘ４  で前記換気手段１２を作動して庫内のオゾンを排出する。
【００５４】
次に、この保管庫Ａでは、通常、順序回路はセットされた状態（保持リレーＲＬ１−３，５  を作動させた状態）で保持されている。
【００５５】
そのため、庫内に人が入る際には、先ず、メインスイッチＭＳを切り、一旦、庫外のスイッチボックスＢｏｘ４  （庫外：入出庫ドア２横）の表示ランプＰＬｇが消灯していることを確認したのち、入出庫ドア２を開けて中に入る。このとき、回路の全リレーＲＬ１−７  はリセットされているため、オゾン発生手段１は停止している。また、庫内はスイッチボックスＢｏｘ１  のグリーンの通電表示ランプＰＬｇのみが点灯するはずである。したがって、これを確認して中へ入る。
【００５６】
その際、メインスイッチＭＳを切り忘れて入出庫ドア２を開けた場合（初期設定に戻すのを忘れた場合）は、ドアスイッチＬＳがオフになり、ドア出力用リレーＲＬ６  もオフになる。このとき、スイッチボックスＢｏｘ４  がオンであったとしても、保持用リレーＲＬ５  もオンとなるので、リセット回路ＲＳに使われているドア出力用リレーＲＬ６  のｂ接点は「閉」となり、同時に、スイッチボックスＢｏｘ４  の保持リレーＲＬ５  のａ接点も「閉」となる。その結果、リセット回路ＲＳのリレーＲＬ７  はオンとなり、リレーＲＬ７  のｂ接点は開放される。そのため、このｂ接点を介して電源ＶＤＤと接続されている順序回路のスイッチボックスＢｏｘ１−４  は瞬時に保持が解除され、オゾン発生手段１もオフとなって庫内にオゾンが放出されなくなる。そして、このように、スイッチボックスＢｏｘ４  の保持リレーＲＬ５  がオフになると、保持リレーＲＬ５  のａ接点が開放されるため、リセット回路ＲＳのリレーＲＬ７  もオフとなり、同リレーＲＬ７  のｂ接点が「閉」じて、順序回路は電源ＶＤＤと接続される。したがって、庫内のスイッチボックスＢｏｘ１−３  のうち、上流のスイッチボックスＢｏｘ１  のグリーンの通電表示ランプＰＬｇのみが点灯することになり、これを確認して入庫する。
【００５７】
一方、入庫中に誤って入出庫ドア２を閉じた場合は、ドア出力用リレーＲＬ６  がオンとなり、ブザー回路Ｂに設けたドア出力用リレーＲＬ６  のａ接点が「閉」じるため、ブザー回路Ｂが鳴って報知する。このとき、ブザーＢｚが鳴っても外のスイッチボックスＢｏｘ４  （プッシュスイッチＰＢｂ４  ）を作動させない限りオゾン発生手段１は作動しないので安全であるが、手近のスイッチボックスＢｏｘ１−３  の緊急停止ボタンＰＢａ１−３  を作動させると、保持リレーＲＬ５  がオフとなり、保持リレーＲＬ５  のａ接点でもって電源ＶＤＤが供給されている下流のスイッチボックスＢｏｘ１−４  をオフにできる。このため、万一、入庫中にスイッチボックスＢｏｘ１−４  を全てオンにしていた場合でも、緊急停止ボタンＰＢａ１−３  を作動させれば、出力リレーＲＬ６  をオフにしてオゾン発生手段１をオフにできるので安全である。また、緊急停止ボタンＰＢａ１−３  を作動するのと同時に、中に居ることを喚起して知らせることもできる。
【００５８】
なお、ブザーＢｚは、メインスイッチＭＳを一旦オフにするか、所定の手順で庫内から出るようにすれば、止めることができる。
【００５９】
この庫内から出る際の所定の手順は、スイッチボックスＢｏｘ１  →Ｂｏｘ２  →Ｂｏｘ３  と順に作動させる。最後に入出庫ドア２を閉じ、スイッチボックスＢｏｘ４  を作動すると、出力リレーＲＬ４  が作動してオゾン発生手段１がオンになり、庫内にオゾンを放出することができるようになる。
【００６０】
このように、入出庫ドア２から離れたスイッチボックスＢｏｘ１  から順に作動しなければならないようにすることで、例えば、庫内に複数の作業者がいる場合でも、庫内のスイッチボックスを順に作動させて行く間に安全を確認しながら出庫できる。
【００６１】
なお、この形態では、スイッチボックスが４個の場合を示したが、これに限定されるものではなく、例えば、保管庫Ａの大きさに合わせて図６のように（図ではスイッチボックスを▲１▼、▲２▼・・・のように符号で示している）、個数と配置とを変えることができる。
【００６２】
このように、外気を用いてオゾンを発生させるようにしているので、大量のオゾンを連続して庫内に導入して高い消臭効果を得ることができる。その際、庫内のオゾン濃度を収容物の量や種類に合わせて調整することができるので、高い消臭効果を得るようにできる。また、換気手段で庫内の排気を行って消臭効率を向上させることもできる。さらに、オゾンを強制的に排気して、ヒーターを使わなくして安全を確保したので省エネ効果もある。また、安全回路を設けたので、搬入時や搬出時の安全も確保できる。
【００６３】
【発明の効果】
この発明は、上記のように構成したことにより、収納物の量や種類に関わらず、均一で高い消臭効果を得ることができる。
【図面の簡単な説明】
【図１】実施例の正面図
【図２】実施例の断面図
【図３】実施例の作用説明図
【図４】実施例の断面図
【図５】実施例の回路図
【図６】他の態様を示す表
【図７】従来例の断面図
【符号の説明】
１  オゾン発生手段
２  入出庫ドア
３  冷却手段
４  冷却器
５  冷気室
６  開口
７  整流板
８  吸引口
９  吹き出し口
１０  オゾン発生室
１１  吹き出し口
Ａ  低温保管庫
Ｂｏｘ１−４    スイッチボックス
ＬＳ  ドアスイッチ
【図１】
2004184040.tif 000003
【図２】
2004184040.tif 000004
【図３】
2004184040.tif 000005
【図４】
2004184040.tif 000006
【図５】
2004184040.tif 000007
【図６】
2004184040.tif 000008
【図７】
2004184040.tif 000009